(57)【要約】      （修正有）【課題】パソコン本体に複数のオペレーティングシステムを配し、１台のパソコンで用途に応じそれぞれのオペレーティングシステムを使い分けるパソコン台を提供する。【解決手段】既存のパソコン本体にハードディスクドライブ２、ハードディスクドライブ３を内蔵させ、新規外付けスイッチ切替え回路８及び、パソコン本体マザーボード内のハードディスクドライブ駆動回路７により、複数のオペレーティングシステムが使い分けられる。【選択図】図２
0003161503.tif 000002
【実用新案登録請求の範囲】
【請求項１】
▲１▼  １台のパソコンにおいて、
▲２▼  複数のオペレーティングシステムを
▲３▼  新規外付けスイッチ切替え回路か、
▲４▼  もしくはキーボードによりパソコン本体に付随するマザーボード内のハードディスクドライブ駆動回路のいずれかにより、
▲５▼  複数のオペレーティングシステムが使い分けられる複数オペレーティングシステムパソコン。
【考案の詳細な説明】
【技術分野】
【０００１】  本考案は、１台のパソコン（ノート型、ディスクトップ型を問わず）において複数のオペレーティングシステムを使いこなすものである。
【背景技術】
【０００２】ウインドウズＸＰ、ウインドウズビスタ、ウインドウズ７などのオペレーティングシステムをそなえた各パソコンにおいては、それぞれ３台保有しなければならない。
【考案の概要】
【考案が解決しようとする課題】
【０００３】３台のオペレーティングシステムのパソコンを所有するならば、３台のパソコンが必要で設置場所は３倍のスペースとなる。本考案のパソコンならば、１台のパソコンでまかなうことができスペースのリスクが解消される。しかも購入費用においては、１台約１５万円であるならば３台で４５万円の費用がかかるが、本考案では約２０万円でまかない、優れたメリットがある。
【課題を解決するための手段】
【０００４】  ▲１▼  購入時にウインドウズＸＰのオペレーティングシステムが導入されているパソコン本体とする。
▲２▼  あらたなハードディスクドライブをパソコン本体にセットし、まずそのハードディスクドライブにウインドウズＸＰをダウンロードする。
▲３▼  次にダウンロードされたハードディスクドライブへウインドウズビスタをアップグレードすれば２つのオペレーティングシステムが使い分けられる。
▲４▼  また個人の用途によりウインドウズ７が必要ならば、上記に掲げた方法であらたなハードディスクドライブを追加すれば３つの各オペレーティングシステムが使い分けられる。
▲５▼  操作はパソコン本体のキーボードからセットアップによりハードディスクドライブの駆動回路切替えか、もしくは新規に外付けされたスイッチ回路の切替えで、１台のパソコンが複数のオペレーティングシステムとして使い分けられる。
【考案の効果】
【０００５】  ▲１▼  本考案は、１台のパソコンにおいて、ウインドウズＸＰ、ウインドウズビスタ、ウインドウズ７などの各オペレーティングシステムが使い分けられる。
▲２▼  しかも完全に独立したハードディスクドライブ方式だから、作業中のハードディスクドライブがパソコンウィルスに感染しても、他のハードディスクドライブには感染しない。
▲３▼  すなわちウインドウズＸＰを基本に作業とし、大切なフォルダをウインドウズビスタ、もしくはウインドウズ７への保管も可能であるから、本考案の複数オペレーティングシステムパソコンはサーバーとしての役割も果たせパソコンウィルス感染に対処できる。
【図面の簡単な説明】
【０００６】
【図１】  既存のパソコン本体である。
【図２】  既存のパソコン本体にあらたな２つのオペレーティングシステムを導入したものである。
【符号の説明】
【０００７】  １    既存のハードディスクドライブウインドウズＸＰ。
２    新規のハードディスクドライブ。
３    新規のハードディスクドライブ。
４    ２のハードディスクドライブをパソコン本体に導入したオペレーティングシステムウインドウズビスタ。
５    ３のハードディスクドライブをパソコン本体に導入したオペレーティングシステムウインドウズ７。
６    パソコン本体に内蔵の、ハードディスクドライブ起動電源。
７    マザーボード内のハードディスクドライブ駆動回路。
８    新規外付けスイッチ切替え回路。
９    ハードディスクドライブ駆動回路の配線。
１０    ハードディスクドライブ起動電源の配線。
【考案を実施するための形態】
【０００８】本考案の複数オペレーティングシステムパソコンは、すでに購入されたパソコンを容易に複数オペレーティングシステムパソコンとして使用する事ができる。さらにメーカーが商品開発し市販すれば、これまでにない付加価値のつくノート型、ディスクトップ型パソコンが生まれる。
【図１】
0003161503.tif 000003
【図２】
0003161503.tif 000004
【手続補正書】
【提出日】平成22年2月18日(2010.2.18)
【手続補正１】
【補正対象書類名】実用新案登録請求の範囲
【補正対象項目名】全文
【補正方法】変更
【補正の内容】
【実用新案登録請求の範囲】
【請求項１】
１台のパソコンから複数のオペレーティングシステムパソコンを使い分けられる方法としては２つあり、１つは既存のパソコンにハードディスクドライブ（図面番号２）、必要に応じてハードディスクドライブ（図面番号３）をあらたに備え、マザーボード内のハードディスクドライブ駆動（信号）回路の基本回路０，１，２，３のいずれかに接続するが、０は既存のパソコンのハードディスクドライブ（図面番号１）が使用しているので１，２，のそれぞれに接続する。ならびに電源部はハードディスクドライブ（図面番号１）のパワー（電源）回路を分岐しハードディスクドライブ（図面番号４）、ハードディスクドライブ（図面番号５）にそれぞれ接続する。パソコン本体よりハードディスクドライブ（図面番号４）のオペレーティングシステムをウインドウズ（登録商標）ビスタにアップグレード、ならびにハードディスクドライブ（図面番号５）をウインドウズ（登録商標）７にアップグレードしセットアップをいったん終了させる。ウインドウズ（登録商標）ビスタを起動させるセットアップの手順として、パソコン本体の電源スイッチを投入し、キーボードのＦ２キーを押しシステム内のＤｒｉｖｅｓを開きドライブ０，ドライブ１，ドライブ２の起動したいドライブをオンにセット、他の２をオフにセットすれば複数のオペレーティングシステムが使い分けられる。
もう１つの方法としは、既存のパソコンに新規に外付けスイッチ回路を設け、ハードディスクドライブ（図面番号１）のパワー（電源）回路の分岐によりハードディスクドライブ（図面番号１）、ハードディスクドライブ（図面番号４）、ハードディスクドライブ（図面番号５）をそれぞれ外付けスイッチ回路に接続する。
マザーボード内のハードディスクドライブ駆動（信号）回路接続部には０，１，２，３のコネクターがあり、プログラムの約束事より０，１，２，３の順に駆動優先順位が決められている。既存のハードディスクドライブ（図面番号１）に接続された外付けスイッチの回路をオフとすれば、パソコンの駆動優先順位の認識によりハードディスクドライブ（図面番号４）が駆動優先順位となり、パソコン本体の電源スイッチを投入しパソコン画面の指示に従い、キーボード内のＦ１キーを押せばハードディスクドライブ（図面番号４）が起動する。すなわちウインドウズ（登録商標）ＸＰのオペレーティングシステムからウインドウズ（登録商標）ビスタのオペレーティングシステムに動作された事になる。
パソコンを一旦終了させ同様に外付けスイッチと接続されたハードディスクドライブ（図面番号４）の外付けスイッチをオフとすればパソコンの認識によりハードディスクドライブ（図面番号５）が駆動優先順位となり、パソコン本体の電源スイッチを投入し、これもパソコン画面の指示に従い、キーボード内のＦ１キーを押せばハードディスクドライブ（図面番号５）が起動し、すなわちウインドウズ（登録商標）ビスタのオペレーティングシステムからウインドウズ（登録商標）７のオペレーティングシステムに動作される複数オペレーティングシステムパソコン。
【手続補正２】
【補正対象書類名】明細書
【補正対象項目名】０００２
【補正方法】変更
【補正の内容】
【０００２】ウインドウズ（登録商標）ＸＰ、ウインドウズ（登録商標）ビスタ、ウインドウズ（登録商標）７などのオペレーティングシステムをそなえた各パソコンにおいては、それぞれ３台保有しなければならない。
【手続補正３】
【補正対象書類名】明細書
【補正対象項目名】０００４
【補正方法】変更
【補正の内容】
【０００４】▲１▼  購入時にウインドウズ（登録商標）ＸＰのオペレーティングシステムが導入されているパソコン本体とする。
▲２▼  あらたなハードディスクドライブをパソコン本体にセットし、まずそのハードディスクドライブにウインドウズ（登録商標）ＸＰをダウンロードする。
▲３▼  次にダウンロードされたハードディスクドライブへウインドウズ（登録商標）ビスタをアップグレードすれば２つのオペレーティングシステムが使い分けられる。
▲４▼  また個人の用途によりウインドウズ（登録商標）７が必要ならば、上記に掲げた方法であらたなハードディスクドライブを追加すれば３つの各オペレーティングシステムが使い分けられる。
▲５▼  操作はパソコン本体のキーボードからセットアップによりハードディスクドライブの駆動回路切替えか、もしくは新規に外付けされたスイッチ回路の切替えで、１台のパソコンが複数のオペレーティングシステムのパソコンとして使い分けられる。
【手続補正４】
【補正対象書類名】明細書
【補正対象項目名】０００５
【補正方法】変更
【補正の内容】
【０００５】▲１▼  本考案は、１台のパソコンにおいて、ウインドウズ（登録商標）ＸＰ、ウインドウズ（登録商標）ビスタ、ウインドウズ（登録商標）７などの各オペレーティングシステムが使い分けられる。
▲２▼  しかも完全に独立したハードディスクドライブ方式だから、作業中のハードディスクドライブがパソコンウィルスに感染しても、他のハードディスクドライブには感染しない。
▲３▼  すなわちウインドウズ（登録商標）ＸＰを基本に作業とし、大切なフォルダをウインドウズ（登録商標）ビスタ、もしくはウインドウズ（登録商標）７への保管も可能である。
【手続補正５】
【補正対象書類名】明細書
【補正対象項目名】０００７
【補正方法】変更
【補正の内容】
【０００７】  １    既存のハードディスクドライブウインドウズ（登録商標）ＸＰ。
２    新規のハードディスクドライブ。
３    新規のハードディスクドライブ。
４    ２のハードディスクドライブをパソコン本体に導入したオペレティングシステムウインドウズ（登録商標）ビスタ。
５    ３のハードディスクドライブをパソコン本体に導入したオペレティングシステムウインドウズ（登録商標）７。
６    パソコン本体に内蔵の、ハードディスクドライブパワー（電源）回路。
７    マザーボード内のハードディスクドライブ駆動（信号）回路。
８    新規外付けスイッチ回路。
９    ハードディスクドライブ駆動（信号）回路の配線。
１０    ハードディスクドライブパワー（電源）回路の配線。
【手続補正６】
【補正対象書類名】図面
【補正対象項目名】全図
【補正方法】変更
【補正の内容】
【図１】
0003161503.tif 000005
【図２】
0003161503.tif 000006
【手続補正書】
【提出日】平成22年5月2日(2010.5.2)
【手続補正１】
【補正対象書類名】実用新案登録請求の範囲
【補正対象項目名】全文
【補正方法】変更
【補正の内容】
【実用新案登録請求の範囲】
【請求項１】
１台のパソコン内に複数のハードディスクドライブを組入れ、ウインドウズ（登録商標）ＸＰやウインドウズ（登録商標）７を使い分けられる複数オペレーティングシステムパソコン。